(57)【要約】【課題】従来のヘアカーラ装置として、三角形状のヘアカーラ加熱台の表面に三本の給電ソケットを配置し、その裏面に栓刃を配置し、この栓刃を、ヘアカーラ加熱台の中心位置より外れた位置に配置する構造とし、このヘアカーラ加熱台の小型化と、壁コンセントに装着時の安定性を確保することを意図する。しかし、給電ソケットにヘアカーラを装着する構成であり、利便性と、安全性に問題がある。【構成】本名発明は、頭髪を捲装したヘアカーラと、ヘアカーラの受電ピンに被嵌される受電端子を、コードの基端に備えた接続具と、接続具のコードの自由端に設けた受電ピンが挿入される給電端子を備えた給電ソケットを複数設けたヘアカーラ加熱台とで構成したヘアカーラの使用方法である。【選択図】図１−３
2008125671.tif 000002
【特許請求の範囲】
【請求項１】
頭髪を捲装したヘアカーラと、このヘアカーラの受電ピンに被嵌される受電端子を、コードの基端に備えた接続具と、この接続具のコードの自由端に設けた受電ピンが挿入される給電端子を備えた給電ソケットを複数設けたヘアカーラ加熱台とで構成したヘアカーラの使用方法であって、
前記ヘアカーラを、常温の状態で、前記頭髪を捲装し、この捲装後に、このヘアカーラの受電ピンに、前記ヘアカーラ加熱台の受電ソケットの給電端子に接続した前記接続具の受電端子を被嵌し、このヘアカーラに通電し、この頭髪にカーラを生成する構成としたヘアカーラの使用方法。
【請求項２】
請求項１に記載のヘアカーラの使用方法に使用されるヘアカーラ給電器用のコードの構造であって、
前記ヘアカーラ及び／又はヘアカーラ加熱台は、既製のヘアカーラ又はヘアカーラ加熱台を採用可能とする構成としたヘアカーラの使用方法。
【請求項３】
請求項１又は請求項２に記載のヘアカーラの使用方法に使用されるヘアカーラ給電器用の接続具であって、
このコードは、前記ヘアカーラ加熱台に複数設けた給電ソケットのピン孔に設けた給電端子に、挿入される受電ピンをコードの基端に、また前記ヘアカーラの受電ピンに、被嵌される給電端子をコードの自由端に、それぞれ設けられる構成としたヘアカーラの使用方法に使用されるヘアカーラ給電器用の接続具。
【請求項４】
請求項３に記載のヘアカーラ給電器用の接続具であって、
このコードに設けた給電ピンは、ヘアカーラ給電ピンと相似形とし、またこのコードに設けた給電端子は、前記給電ソケットのピン孔に設けた給電端子と相似形とする構成としたヘアカーラの使用方法に使用されるヘアカーラ給電器用の接続具。
【請求項５】
請求項３に記載のヘアカーラ給電器用の接続具であって、
このコードに設けた給電端子に抵抗を設け、このコードを利用し、既製のヘアカーラ又はヘアカーラ加熱台であってもヘアカーラ毎の加熱温度を変えることができる構成としたヘアカーラの使用方法に使用されるヘアカーラ給電器用の接続具である。
【発明の詳細な説明】
【技術分野】
【０００１】
本発明は、ヘアカーラを、常温状態で操作が可能であって、このヘアカーラの取扱いが容易なヘアカーラの使用方法と、このヘアカーラの使用方法に使用されるヘアカーラ給電器用のコードの構造に関する。
【背景技術】
【０００２】
従来、この種のヘアカーラは、ヘアカーラ加熱台に立設された給電ソケットに接続かつ被嵌し、所定の温度に加熱した後に、この加熱されたヘアカーラを頭髪に捲装し、この頭髪にカールを施す構造である。このような構造は、次のような文献に開示されている。
【０００３】
この文献（１）としては、特開平８−３０８６２７号の「ヘアカーラの加熱装置」がある。この発明は、ヘアカーラ加熱台を分割し、第１・第２加熱台とし、この第１・第２加熱台を重ね合せ可能なように給電ソケットの位置を設定し、またこの第１・第２加熱台を相互にかつ電源に接続可能とした構造であり、この第１・第２加熱台を重ね合せ可能として、コンパクトな収容と、この収容時に給電ソケットへのごみの侵入防止を図ることを意図する。
【０００４】
また文献（２）としては、特開平９−１０３３１５号の「ヘアカーラ装置」がある。この発明は、三角形状のヘアカーラ加熱台の表面に三本の給電ソケットを配置し、その裏面に栓刃を配置した構成であって、この栓刃を、前記ヘアカーラ加熱台の中心位置より外れた位置（隅部）に配置したことを特徴とし、このヘアカーラ加熱台の小型化と、壁コンセントに装着した際に、その安定性を確保することを意図する。
【０００５】
【特許文献１】特開平８−３０８６２７号
【特許文献２】特開平９−１０３３１５号
【発明の開示】
【発明が解決しようとする課題】
【０００６】
前記文献（１）、（２）は、ヘアカーラ加熱台の給電ソケットに直接、ヘアカーラを被嵌かつ接続し、この加熱したヘアカーラを頭髪に捲装する使用方法である。この従来の使用では、次のような改良点がある。即ち、指先の皮膚が弱かったり、手荒れや傷等で加熱温度に対して耐性が十分でないとき等は、危険性がある。殊に、昨今の大型のカーラを使用する場合には、顕著であり改良点である。そして、昨今の大型のカーラを使用する場合には、ヘアカーラ加熱台（ヘアカーラ加熱器）の給電ソケットの間隔を広くとり、このヘアカーラ加熱台のサイズが大きくなり、その取扱い及び／又は保管が厄介である。
【０００７】
また昨今はヘアエクステンション等の加工毛を付ける場合において、例えば、その加工毛の部分だけがカールが出にくいこと等から、加熱のタイミングと継続時間において、その改良が必要となる。殊に、このヘアカーラ加熱台とヘアカーラとを、パーマに利用する場合では、パーマ薬等の薬液との関係で加熱及び／又は加減ができない等の問題点があってので、その改良は急務と考えられている。
【０００８】
上記に鑑み、本発明は、常温でヘアカーラを頭髪に捲装する使用方法を提供して、前述した、改良を一気に達成することと、その問題点を解消することを意図する。そして、安全かつ安心した使用と、頭髪（ヘア）のカーラからパーマに到っても、略同じ使用ができるヘアカーラの使用方法と、このヘアカーラの使用方法に使用されるヘアカーラ給電器用のコードの構造とを提供することを意図する。そして、従来の改良点を解消できるヘアカーラの使用方法を提供することを意図する。
【課題を解決するための手段】
【０００９】
請求項１の発明は、常温でヘアカーラを頭髪に捲装する使用方法、即ち、頭髪に捲装後に、加熱する使用方法を提供し、ヘアカーラの加熱による弊害、危険性と、取扱いの困難性を解消すること、又は安全かつ安心した使用と、頭髪（ヘア）のカーラからパーマに到っても、略同じ使用ができるヘアカーラの使用方法を提供すること等を意図する。
【００１０】
請求項１は、頭髪を捲装したヘアカーラと、このヘアカーラの受電ピンに被嵌される受電端子を、コードの基端に備えた接続具と、この接続具のコードの自由端に設けた受電ピンが挿入される給電端子を備えた給電ソケットを複数設けたヘアカーラ加熱台とで構成したヘアカーラの使用方法であって、
前記ヘアカーラを、常温の状態で、前記頭髪を捲装し、この捲装後に、このヘアカーラの受電ピンに、前記ヘアカーラ加熱台の受電ソケットの給電端子に接続した前記接続具の受電端子を被嵌し、このヘアカーラに通電し、この頭髪にカーラを生成する構成としたヘアカーラの使用方法である。
【００１１】
請求項２の発明は、請求項１の目的を達成すること、この目的を達成するのに最適な汎用性があるヘアカーラの使用方法を提供すること等を意図する。
【００１２】
請求項２は、請求項１に記載のヘアカーラの使用方法に使用されるヘアカーラ給電器用のコードの構造であって、
前記ヘアカーラ及び／又はヘアカーラ加熱台は、既製のヘアカーラ又はヘアカーラ加熱台を採用可能とする構成としたヘアカーラの使用方法である。
【００１３】
請求項３の発明は、常温でヘアカーラを頭髪に捲装できるヘアカーラの使用方法に使用されるヘアカーラ給電器用のコードの構造であって、頭髪に捲装後に、加熱する使用を可能とすること、そして、ヘアカーラの加熱による弊害、危険性と、取扱いの困難性を解消すること、又は安全かつ安心した使用と、頭髪（ヘア）のカーラからパーマに到っても、略同じ使用ができるヘアカーラの使用方法に最適なヘアカーラの使用方法に使用されるヘアカーラ給電器用のコードの構造を提供する。
【００１４】
請求項３は、請求項１又は請求項２に記載のヘアカーラの使用方法に使用されるヘアカーラ給電器用の接続具であって、
このコードは、前記ヘアカーラ加熱台に複数設けた給電ソケットのピン孔に設けた給電端子に、挿入される受電ピンをコードの基端に、また前記ヘアカーラの受電ピンに、被嵌される給電端子をコードの自由端に、それぞれ設けられる構成としたヘアカーラの使用方法に使用されるヘアカーラ給電器用の接続具である。
【００１５】
請求項４の発明は、請求項３（請求項１）の目的を達成すること、この目的を達成するのに最適な汎用性のあるヘアカーラの使用方法に使用されるヘアカーラ給電器用の接続具を提供すること等を意図する。
【００１６】
請求項４は、請求項３に記載のヘアカーラ給電器用の接続具であって、
このコードに設けた給電ピンは、ヘアカーラ給電ピンと相似形とし、またこのコードに設けた給電端子は、前記給電ソケットのピン孔に設けた給電端子と相似形とする構成としたヘアカーラの使用方法に使用されるヘアカーラ給電器用の接続具である。
【００１７】
請求項５の発明は、コードに設けた給電端子に抵抗を設け、このコードを利用し、既製のヘアカーラ又はヘアカーラ加熱台であってもヘアカーラ毎の加熱温度を変えることができる構造とするので、カールの付きにくいところは高温を可能とすること、また逆に顔周りや毛髪の傷んだ部分は低温でというように簡単に可変できる接続具を提供することを意図する。
【００１８】
請求項５は、請求項３に記載のヘアカーラ給電器用の接続具であって、
このコードに設けた給電端子に抵抗を設け、このコードを利用し、既製のヘアカーラ又はヘアカーラ加熱台であってもヘアカーラ毎の加熱温度を変えることができる構成としたヘアカーラの使用方法に使用されるヘアカーラ給電器用の接続具である。
【発明の効果】
【００１９】
請求項１の発明は、頭髪を捲装したヘアカーラと、ヘアカーラの受電ピンに被嵌される受電端子を、コードの基端に備えた接続具と、接続具のコードの自由端に設けた受電ピンが挿入される給電端子を備えた給電ソケットを複数設けたヘアカーラ加熱台とで構成したヘアカーラの使用方法であって、
ヘアカーラを、常温の状態で、頭髪を捲装し、捲装後に、ヘアカーラの受電ピンに、ヘアカーラ加熱台の受電ソケットの給電端子に接続した接続具の受電端子を被嵌し、ヘアカーラに通電し、頭髪にカーラを生成する構成としたヘアカーラの使用方法である。
【００２０】
従って、請求項１は、常温でヘアカーラを頭髪に捲装する使用方法、即ち、頭髪に捲装後に、加熱する使用方法が提供でき、ヘアカーラの加熱による弊害、危険性と、取扱いの困難性を解消できること、又は安全かつ安心した使用と、頭髪（ヘア）のカーラからパーマに到っても（パーマ液を使用しても、使用後の通電が図れることで安全、かつ確実に継続して加熱が可能である）、略同じ使用ができるヘアカーラの使用方法を提供できること等の特徴がある。
【００２１】
請求項２の発明は、請求項１に記載のヘアカーラの使用方法に使用されるヘアカーラ給電器用のコードの構造であって、
ヘアカーラ及び／又はヘアカーラ加熱台は、既製のヘアカーラ又はヘアカーラ加熱台を採用可能とする構成としたヘアカーラの使用方法である。
【００２２】
従って、請求項２は、請求項１の目的を達成できること、この目的を達成するのに最適な汎用性のヘアカーラの使用方法を提供できること等の特徴を有する。
【００２３】
請求項３の発明は、請求項１又は請求項２に記載のヘアカーラの使用方法に使用されるヘアカーラ給電器用の接続具であって、
コードは、ヘアカーラ加熱台に複数設けた給電ソケットのピン孔に設けた給電端子に、挿入される受電ピンをコードの基端に、またヘアカーラの受電ピンに、被嵌される給電端子をコードの自由端に、それぞれ設けられる構成としたヘアカーラの使用方法に使用されるヘアカーラ給電器用の接続具である。
【００２４】
従って、請求項３は、常温でヘアカーラを頭髪に捲装できるヘアカーラの使用方法に使用されるヘアカーラ給電器用のコードの構造であって、頭髪に捲装後に、加熱する使用が可能となること、そして、ヘアカーラの加熱による弊害、危険性と、取扱いの困難性を解消できること、又は安全かつ安心した使用と、頭髪（ヘア）のカーラからパーマに到っても（前述と同じ）、略同じ使用ができるヘアカーラの使用方法に最適なヘアカーラの使用方法に使用されるヘアカーラ給電器用のコードの構造を提供できること等の特徴がある。
【００２５】
請求項４の発明は、請求項３に記載のアカーラ給電器用の接続具であって、
コードに設けた給電ピンは、ヘアカーラ給電ピンと相似形とし、またコードに設けた給電端子は、給電ソケットのピン孔に設けた給電端子と相似形とする構成としたヘアカーラの使用方法に使用されるヘアカーラ給電器用の接続具である。
【００２６】
従って、請求項４は、請求項３（請求項１）の目的を達成できること、この目的を達成するのに最適な汎用性のあるヘアカーラの使用方法に使用されるヘアカーラ給電器用の接続具を提供できること等の特徴を有する。
【００２７】
請求項５の発明は、請求項３に記載のヘアカーラ給電器用の接続具であって、
コードに設けた給電端子に抵抗を設け、コードを利用し、既製のヘアカーラ又はヘアカーラ加熱台であってもヘアカーラ毎の加熱温度を変えることができる構成としたヘアカーラの使用方法に使用されるヘアカーラ給電器用の接続具である。
【００２８】
従って、請求項５は、コードに設けた給電端子に抵抗を設け、このコードを利用し、既製のヘアカーラ又はヘアカーラ加熱台であってもヘアカーラ毎の加熱温度を変えることができる構造とするので、カールの付きにくいところは高温に可能できること、また逆に顔周りや毛髪の傷んだ部分は低温でというように簡単に可変できる接続具を提供できること等の特徴を有する。
【発明を実施するための最良の形態】
【００２９】
先ず、図面の説明をすると、図１−１はヘアカーラを頭髪に捲装した状態を示した斜視図、図１−２はヘアカーラを頭髪に捲装した状態で、ヘアカーラの給電ピンに、接続具の給電端子を被嵌し、ヘアカーラに通電しようとする状態を示した斜視図、図１−３はヘアカーラを頭髪に捲装し、ヘアカーラの給電ピンに、接続具の給電端子を被嵌し、ヘアカーラに通電し、カール（パーマ）をする状態を示した斜視図、図２はヘアカーラ加熱台の斜視図、図３はヘアカーラ加熱台の給電ソケットに接続具を取付けた状態の斜視図、図４は接続具の一部省略の斜視図、図５−１はヘアカーラの平面視した斜視図、図５−２はヘアカーラの背面視した斜視図である。
【００３０】
図中１は通電用の接続具で、この接続具１は、所定の長さ（略３０ｃｍ〜５０ｃｍ程度）コード１００と、このコード本体１００の基端１００ａ側に設けた受電ピン１０１と、自由端１００ｂ側に設けた給電端子１０２とで構成される。そして、この受電ピン１０１は、ヘアカーラ加熱台２に複数設けた給電ソケット３のピン孔３００に設けた給電端子３０１に、挿入又は脱外される。また給電端子１０２は、ヘアカーラ５の受電ピン５０１に、被嵌又は脱外される。そして、この受電ピン１０１は、受電ピンソケット１０１ａに設けた凹部１０１ａ１より吐出し、かつソケット壁面１０１ａ２に陥没するように設けられ、直接接触することがないように構成されている。また給電端子１０２は、給電端子ソケット１０２ａの内部壁面１０２ａ１に陥没するように設けられ、直接接触することがないように構成されている。
【００３１】
そして、前記ヘアカーラ加熱台２には、複数設けた給電ソケット３が設けられており、この給電ソケット３のピン孔３００には、給電端子３０１が陥没するように設けられ、直接接触することがないように構成されている。またこのヘアカーラ加熱台２には、コンセント２００とコード２０１が設けられており、このコンセント２００とコード２０１を介して、このヘアカーラ加熱台２に給電される。その他の構造は、従来のヘアカーラ加熱台（図示せず）と同様である。
【００３２】
またヘアカーラ５には、受電ピン５０１と、温度感知表示部５０２が設けられており、この受電ピン５０１は、ヘアカーラ本体５００に設けた凹部５００ａより吐出し、かつヘアカーラ本体５００の壁面５００ａ１に陥没するように設けられ、直接接触することないように構成されている。また温度感知表示部５０２は、ヘアカーラ本体５００の内部壁面５００ａ２に陥没するように設けられ、直接接触することがないように構成されている。その他の構造は、従来のヘアカーラ（図示せず）と同様である。
【００３３】
そして、望ましくは、接続具１の受電ピン１０１、給電端子１０２と、給電ソケット３の給電端子３０１、又はヘアカーラ５の受電ピン５０１、給電端子５０２とを共通として、部品の減少化、また経済性の向上と、保管・管理の容易化等に役立てる。
【００３４】
次に、本発明のヘアカーラの使用方法の一例を説明すると、先ず、ヘアカーラ５を頭髪Ｈ１に捲装する。この時点では、ヘアカーラ５は常温であり、安心して、ゆっくりと、かつ安全な作業ができ重宝する。また仮にパーマ液を、添着しても、感電、衝撃等の危険性は、略皆無であり、前述と同様に重宝する。このようにして、頭髪Ｈ１に捲装したヘアカーラ５の受電ピン５０１に、接続具１の給電端子ソケット１０２ａの給電端子１０２を接続する。そして、この接続具１の受電ピンソケット１０１ａの受電ピン１０１を、ヘアカーラ加熱台２の受電ソケット３の給電端子３０１に接続する。これらの一連の接続作業で、ヘアカーラ５に通電されて、頭髪Ｈ１のカール、又はパーマが行われる。そして、前記温度感知表示部５０２の識別色で、ヘアカーラ５の温度を確認できる。尚、コード２０１に設けた給電端子３０１に抵抗を設け、このコード２０１を利用し、既製のヘアカーラ５又はヘアカーラ加熱台２であってもヘアカーラ５毎の加熱温度を変えることができる構造とするので、カールの付きにくいところは高温にすること、また逆に顔周りや毛髪の傷んだ部分及び／又は頭髪の状況に合わせて低温にすること等の如く、簡単かつ確実に、温度を可変できるので、大変重宝する。
【００３５】
以上のように、ヘアカーラ５を、常温で、頭髪Ｈ１に捲装することから、前述の如く、頭髪Ｈ１に捲装後に、加熱する使用方法が提供でき、ヘアカーラ５の加熱による弊害、危険性と、取扱いの困難性を解消できること、又は安全かつ安心した使用と、頭髪Ｈ１（ヘア）のカーラからパーマ（継続加温による）に到っても、略同じ使用ができる大変有益であり、かつ重宝する。さらに通電途中での停止及び／又はその後の通電等の使用が図れる特徴と、この使用は、必要時において、何時でも操作ができ、重宝することと、安全であること等の実益がある。
【００３６】
尚、前述の接続具１の給電端子１０２と、受電ピン１０１の手順は、一例であり、その逆の操作もあり得る。従って、使用の簡便性と、使い勝手がよく、有益であり、かつ重宝する。またヘアカーラ加熱台２で温度調整ができるので、カール等がふんわり仕上がり、美感と、人Ｈの要望に応ええる利点があり、その特徴が遺憾なく、発揮できる。
【図面の簡単な説明】
【００３７】
【図１−１】図１−１はヘアカーラを頭髪に捲装した状態を示した斜視図
【図１−２】図１−２はヘアカーラを頭髪に捲装した状態で、ヘアカーラの給電ピンに、接続具の給電端子を被嵌し、ヘアカーラに通電しようとする状態を示した斜視図
【図１−３】図１−３はヘアカーラを頭髪に捲装し、ヘアカーラの給電ピンに、接続具の給電端子を被嵌し、ヘアカーラに通電し、カール（パーマ）をする状態を示した斜視図
【図２】図２はヘアカーラ加熱台の斜視図
【図３】図３はヘアカーラ加熱台の給電ソケットに接続具を取付けた状態の斜視図
【図４】図４は接続具の一部省略の斜視図
【図５−１】図５はヘアカーラの平面視した斜視図
【図５−２】図５−２はヘアカーラの背面視した斜視図
【符号の説明】
【００３８】
１                接続具
１００            コード
１００ａ          基端
１００ａ２        ソケット壁面
１００ｂ          自由端
１０１            受電ピン
１０１ａ          受電ピンソケット
１０１ａ１        凹部
１０１ａ２        ソケット壁面
１０２            給電端子
１０２ａ          給電端子ソケット
１０２ａ１        壁面
２                ヘアカーラ加熱台
２００            コンセント
２０１            コード
３                給電ソケット
３００            ピン孔
３０１            給電端子
５                ヘアカーラ
５００            ヘアカーラ本体
５００ａ          凹部
５００ａ１        壁面
５００ａ２        内部壁面
５０１            受電ピン
５０２            温度感知表示部
Ｈ                人
Ｈ１              頭髪
【図１−１】
2008125671.tif 000003
【図１−２】
2008125671.tif 000004
【図１−３】
2008125671.tif 000005
【図２】
2008125671.tif 000006
【図３】
2008125671.tif 000007
【図４】
2008125671.tif 000008
【図５−１】
2008125671.tif 000009
【図５−２】
2008125671.tif 000010